(57)【要約】【課題】組立て及び分解作業が簡単かつ安全で手間のかからない鯉のぼりの飾りを提供する。【解決手段】矢車１５は、棒状の芯１５ａ１に羽根１５ａ２が設けられた複数本の矢羽根１５ａと、複数本の矢羽根１５ａの芯１５ａ１の基部が所定角度毎に収容されるリンドウ部１５ｂとを有し、リンドウ部１５ｂは、結合することによって複数本の矢羽根１５ａを固定する一対の半割りリンドウ部１５ｂ１，１５ｂ２とから構成され、各半割りリンドウ部１５ｂ１，１５ｂ２には、複数本の矢羽根１５ａの芯１５ａ１の基部のセット位置を所定角度毎に案内するほぼ半円筒状の矢羽根芯受け部１５ｂ１１，１５ｂ２１を有し、いずれか一方の半割りリンドウ部１５ｂ１の矢羽根芯受け部１５ｂ１１，１５ｂ２１には、各矢羽根１５ａを所定の傾斜角度でセットする共に、抜け止めを図るための突状部１５ｂ１１ａが設けられている。【選択図】図２
2018051107.tif 000002
【特許請求の範囲】
【請求項１】
鯉のぼりを揚げる支柱の上部に筒体を介して設けられた球棒を中心に回転する回転球と、前記筒体に垂直に通された横棒を中心に回転する矢車とを備えた鯉のぼりの飾りであって、
前記矢車は、
棒状の芯に羽根が設けられた複数本の矢羽根と、
前記複数本の矢羽根の芯の基部が所定角度毎に収容されるリンドウ部とを有し、
前記リンドウ部は、
前記複数本の矢羽根の芯の基部が所定角度毎にセットした後、結合することによって前記複数本の矢羽根を固定する一対の半割りリンドウ部とから構成され、
各半割りリンドウ部には、前記複数本の矢羽根の芯の基部のセット位置を所定角度毎に案内するほぼ半円筒状の矢羽根芯受け部を有し、いずれか一方の半割りリンドウ部の矢羽根芯受け部には、前記各矢羽根を所定の傾斜角度でセットする共に、抜け止めを図るための突状部が設けられていると共に、他方の半割りリンドウと重ね合わせた際に係合する係合部が設けられており、
前記複数の矢羽根の芯の先端側には、紐状体用挿通孔が形成されており、その紐状体用挿通孔にはリング状の紐状体が通されている一方、
前記複数の矢羽根の芯の基部側には、前記リンドウ部のいずれか一方の半割りリンドウ部の矢羽根芯受け部に設けられた前記突状部が通される矢羽根抜止め用リンドウ通し孔が形成されていることを特徴とする鯉のぼりの飾り。
【請求項２】
請求項１に記載の鯉のぼりの飾りにおいて、
前記回転球は、
ほぼ三日月形状に形成され、前記球棒の上下両端部に通される球棒通し孔が上下両端部に形成される一方、上下方向の中間には切欠部が形成され、前記球棒を中心として所定角度を空けて設けられる複数の回転球片と、
前記球棒を中心として所定角度を空けて設けられた複数の回転球片の外側を囲うように設けられ、前記複数の回転球片の切欠部に掛止する掛止部が設けられ、前記球棒を中心として前記複数の回転球片を所定角度毎に固定する帯金とから構成され、
その帯金は、ほぼ半円形状の一対の半円形状帯金から構成されており、一対の半円形状帯金の両端部同士を回動可能に連結して、前記複数の回転球片に取り付ける場合は、円形状に開いて使用する一方、前記複数の回転球片に取り付けない場合は、半円形状に閉じておくことができるように開閉式に構成されていることを特徴とする鯉のぼりの飾り。
【請求項３】
請求項１に記載の鯉のぼりの飾りにおいて、
前記回転球は、
ほぼ三日月形状に形成され、前記球棒の上下両端部に通される球棒通し孔が上下両端部に形成される一方、その上下両端部の球棒通し孔の近傍にそれぞれ切欠部が形成され、前記球棒を中心として所定角度を空けて設けられる複数の回転球片と、
前記球棒を中心として所定角度を空けて設けられた複数の回転球片の上下両端部の外側を囲うようにそれぞれ取り付けられ、前記複数の回転球片の切欠部に折り曲げて掛止する折り曲げ掛止部が設けられ、前記球棒を中心として前記複数の回転球片を所定角度毎に固定する一対の回転球片固定金具とを備えることを特徴とする鯉のぼりの飾り。
【請求項４】
請求項１〜請求項３のいずれか一の請求項に記載の鯉のぼりの飾りにおいて、
前記一対の半割りリンドウ部における前記横棒が通される横棒通し孔には、
前記横棒との摩擦を低減させるオイルが含有されたブッシュが嵌め入れられていることを特徴とする鯉のぼりの飾り。
【発明の詳細な説明】
【技術分野】
【０００１】
本発明は、鯉のぼりを揚げる支柱の上部に筒体を介して設けられた球棒を中心に回転する回転球と、前記筒体に垂直に通された横棒を中心に回転する矢車とを備えた鯉のぼりの飾りに関する。
【背景技術】
【０００２】
従来の鯉のぼりの飾りとして、例えば、鯉のぼりを揚げる支柱の上部に筒体を介して取り付けた球棒を中心に回転する回転球と、筒体に垂直に通された横棒を中心に回転する矢車とを備えたものが提案されている（例えば、特許文献１参照。）。
【０００３】
通常、このような鯉のぼりの飾りでは、矢車は、棒状の芯に羽根が設けられた複数本の矢羽根から構成されており、各矢羽根の芯の基部を所定角度毎に芯挿入部が設けられたリンドウ部に挿入し、割りピンを差してリンドウ部に各矢羽根を所定角度で固定した後、安定バンド等で複数の矢羽根を留めるようにしている。各矢羽根を所定角度で固定する理由は、風によって矢車が回転するようにするためである。
【０００４】
また、回転球は、ほぼ三日月形状に形成され、球棒の上下両端部に通される球棒通し孔が上下両端部に形成される一方、上下方向の中間にはそれぞれ切欠部が形成された複数の回転球片を、球棒を中心として所定角度を空けてセットし、セットした複数の回転球片の内側からほぼ半円形の２枚の帯金の両端部を連結しながら各回転球片の切欠部に所定間隔毎に設けられた係合部を係合して球棒を中心として複数の回転球片を所定角度毎に固定するように構成されている。
【先行技術文献】
【特許文献】
【０００５】
【特許文献１】特開２００７−２８９３５２号公報
【発明の概要】
【発明が解決しようとする課題】
【０００６】
しかし、従来の鯉のぼりの飾りの矢車は、各矢羽根の芯の基部を所定角度毎に芯挿入部が設けられたリンドウ部に挿入し、その後、割りピンを差してリンドウ部に各矢羽根を所定角度で固定して組み立てるため、割りピン挿入後に割りピン先端部を曲げる作業が必要であり、組立て作業に手間がかかるという問題があった。
【０００７】
特に、鯉のぼりは、５月５日の子供の日の前後の一定期間組み立てて飾った後は、分解し、来年の５月５日の子供の日の前後まで収納しておくため、矢車を分解する際に割りピンを抜く作業があり、その分解作業に手間がかかるとともに、割りピンを紛失して来年組み立てることが困難になるという問題もあった。
【０００８】
また、従来の鯉のぼりの飾りの回転球は、複数の回転球片を、球棒を中心として所定角度を開けてセットし、セットした複数の回転球片の内側からほぼ半円形の２枚の帯金の両端部を連結しながら各回転球片の切欠部に所定間隔毎に設けられた係合部を係合して球棒を中心として複数の回転球片を所定角度毎に固定するように構成されているため、組立て作業に手間がかかると共に、分解作業にも手間がかかるという問題があった。
【０００９】
そこで、本発明は、このような問題点に着目してなされたもので、組立ておよび分解作業に手間がかからず、特に矢車については割りピンを使用しないで簡単かつ安全に組み立てることができる鯉のぼりの飾りを提供することを目的とする。
【課題を解決するための手段】
【００１０】
前記課題を解決するため、本発明の鯉のぼりの飾りは、鯉のぼりを揚げる支柱の上部に筒体を介して設けられた球棒を中心に回転する回転球と、前記筒体に垂直に通された横棒を中心に回転する矢車とを備えた鯉のぼりの飾りであって、前記矢車は、棒状の芯に羽根が設けられた複数本の矢羽根と、前記複数本の矢羽根の芯の基部が所定角度毎に収容されるリンドウ部とを有し、前記リンドウ部は、前記複数本の矢羽根の芯の基部が所定角度毎にセットした後、結合することによって前記複数本の矢羽根を固定する一対の半割りリンドウ部とから構成され、各半割りリンドウ部には、前記複数本の矢羽根の芯の基部のセット位置を所定角度毎に案内するほぼ半円筒状の矢羽根芯受け部を有し、いずれか一方の半割りリンドウ部の矢羽根芯受け部には、前記各矢羽根を所定の傾斜角度でセットする共に、抜け止めを図るための突状部が設けられていると共に、他方の半割りリンドウと重ね合わせた際に係合する係合部が設けられており、前記複数の矢羽根の芯の先端側には、紐状体用挿通孔が形成されており、その紐状体用挿通孔にはリング状の紐状体が通されている一方、前記複数の矢羽根の芯の基部側には、前記リンドウ部のいずれか一方の半割りリンドウ部の矢羽根芯受け部に設けられた前記突状部が通される矢羽根抜止め用リンドウ通し孔が形成されていることを特徴とする。
ここで、前記回転球は、ほぼ三日月形状に形成され、前記球棒の上下両端部に通される球棒通し孔が上下両端部に形成される一方、上下方向の中間には切欠部が形成され、前記球棒を中心として所定角度を空けて設けられる複数の回転球片と、前記球棒を中心として所定角度を空けて設けられた複数の回転球片の外側を囲うように設けられ、前記複数の回転球片の切欠部に掛止する掛止部が設けられ、前記球棒を中心として前記複数の回転球片を所定角度毎に固定する帯金とから構成され、その帯金は、ほぼ半円形状の一対の半円形状帯金から構成されており、一対の半円形状帯金の両端部同士を回動可能に連結して、前記複数の回転球片に取り付ける場合は、円形状に開いて使用する一方、前記複数の回転球片に取り付けない場合は、半円形状に閉じておくことができるように開閉式に構成されていると良い。
また、前記回転球は、ほぼ三日月形状に形成され、前記球棒の上下両端部に通される球棒通し孔が上下両端部に形成される一方、その上下両端部の球棒通し孔の近傍にそれぞれ切欠部が形成され、前記球棒を中心として所定角度を空けて設けられる複数の回転球片と、前記球棒を中心として所定角度を空けて設けられた複数の回転球片の上下両端部の外側を囲うようにそれぞれ取り付けられ、前記複数の回転球片の切欠部に折り曲げて掛止する折り曲げ掛止部が設けられ、前記球棒を中心として前記複数の回転球片を所定角度毎に固定する一対の回転球片固定金具とを備えていていても良い。
また、前記一対の半割りリンドウ部における前記横棒が通される横棒通し孔には、前記横棒との摩擦を低減させるオイルが含有されたブッシュが嵌め入れられていても良い。
【発明の効果】
【００１１】
本発明の鯉のぼりの飾りでは、リンドウ部は、複数本の矢羽根の芯の基部が所定角度毎にセットした後、結合することによって複数本の矢羽根を固定する一対の半割りリンドウ部とから構成され、各半割りリンドウ部には、複数本の矢羽根の芯の基部のセット位置を所定角度毎に案内するほぼ半円筒状の矢羽根芯受け部を有し、いずれか一方の半割りリンドウ部の矢羽根芯受け部には、各矢羽根を所定の傾斜角度でセットする共に、抜け止めを図るための突状部が設けられていると共に、他方の半割りリンドウと重ね合わせた際に係合する係合部が設けられており、複数の矢羽根の芯の先端側には、紐状体用挿通孔が形成されており、その紐状体用挿通孔にはリング状の紐状体が通されている一方、複数の矢羽根の芯の基部側には、リンドウ部のいずれか一方の半割りリンドウ部の矢羽根芯受け部に設けられた突状部が通される矢羽根抜止め用リンドウ通し孔が形成されている。
そのため、少なくとも矢車については、組立て作業および分解作業に手間がかからず、かつ、割りピンを使用しないで簡単かつ安全に組み立てることができる。
【図面の簡単な説明】
【００１２】
【図１】本発明に係る実施形態の鯉のぼりの飾りの完成状態を示す正面図である。
【図２】実施形態の鯉のぼりの飾りの矢車の完成状態を示す正面図である。
【図３】紐状体であるワイヤで予め連結された実施形態の鯉のぼりの飾りの矢羽根の状態を示す図である。
【図４】紐状体であるワイヤで予め連結されている実施形態の鯉のぼりの飾りの矢羽根を所定角度で並べた状態を示す図である。
【図５】実施形態の鯉のぼりの飾りのリンドウ部の一方の半割りリンドウ部の平面図である。
【図６】実施形態の鯉のぼりの飾りのリンドウ部の一方の半割りリンドウ部の底面図である。
【図７】図５におけるＡ−Ａ線断面図である。
【図８】実施形態の鯉のぼりの飾りのリンドウ部の他方の半割りリンドウ部の平面図である。
【図９】実施形態の鯉のぼりの飾りのリンドウ部の他方の半割りリンドウ部の底面図である。
【図１０】図８におけるＢ−Ｂ線断面図である。
【図１１】実施形態の鯉のぼりの飾りにおいてリンドウ部に矢羽をセットする際の状態を示す断面図である。
【図１２】実施形態の鯉のぼりの飾りにおいてリンドウ部に矢羽をセットした際の状態を示す断面図である。
【図１３】実施形態の鯉のぼりの飾りにおいて半割りリンドウ部同士を結合して係合部が被係合部に係合した状態を示す断面図である。
【図１４】実施形態の鯉のぼりの飾りにおいて半割りリンドウ部同士を結合した後、半割りリンドウ部同士をネジで固定した状態を示す断面図である。
【図１５】実施形態の鯉のぼりの飾りの回転球の複数の回転球片を球棒にセットした状態を示す正面図である。
【図１６】（ａ），（ｂ）それぞれ実施形態の鯉のぼりの飾りの回転球を構成する折畳み式の帯金を開いた状態を示す正面図、折畳んだ状態を示す正面図である。
【図１７】実施形態の鯉のぼりの飾りの回転球の複数の回転球片に折畳み式の帯金を装着した状態を示す平面図である。
【図１８】（ａ），（ｂ）それぞれ図１７における回転球片と折畳み式の帯金との掛止部分を拡大して示す部分拡大平面図、部分拡大正面図である。
【図１９】実施形態の鯉のぼりの飾りの回転球の複数の回転球片に折畳み式の帯金を装着した状態を示す正面図である。
【図２０】実施形態の鯉のぼりの飾りの回転球の複数の回転球片の他の構成例を示す平面図である。
【図２１】実施形態の鯉のぼりの飾りの回転球の複数の回転球片の他の構成例を固定する回転球片固定金具を示す平面図である。
【図２２】実施形態の鯉のぼりの飾りの回転球の他の構成例の複数の回転球片を球棒にセットして広げた状態を示す平面図である。
【図２３】実施形態の鯉のぼりの飾りの回転球の他の構成例の複数の回転球片の上下それぞれに回転球片固定金具をセットする際の状態を示す正面図である。
【図２４】実施形態の鯉のぼりの飾りの回転球の他の構成例の複数の回転球片の上下それぞれから回転球片固定金具をセットした際の状態を示す平面図である。
【図２５】実施形態の鯉のぼりの飾りの回転球の他の構成例の複数の回転球片の上下それぞれから回転球片固定金具をセットした際の状態を示す正面図である。
【発明を実施するための形態】
【００１３】
以下、本発明に係る鯉のぼりの飾りの実施の形態を、添付図面を参照しながら詳細に説明する。なお、下記に説明する実施形態はその寸法等も含めあくまで本発明の一例であり、本発明は下記の実施形態に限定されるものではなく、本発明の技術思想の範囲内で適宜変更可能である。
【００１４】
実施形態の鯉のぼりの飾り１は、図１に示すように、鯉のぼりを揚げる支柱２の上部に筒体１１を介して取り付けた球棒１２を中心に回転する回転球１３と、支柱２における回転球１３の下方に垂直に通された横棒１４を中心に回転する矢車１５等を備えて構成される。尚、図１では、回転球１３は、後述する図１５〜図１９に示す回転球１３の構成例１を示しているが、図２０〜図２５に示す回転球１３の構成例２も同様に装着される。
【００１５】
＜矢車１５の構成＞
矢車１５は、棒状の芯１５ａ１に羽根１５ａ２が設けられ、複数本の矢羽根１５ａと、複数本の矢羽根１５ａの芯１５ａ１の基部が所定角度毎に収容されるリンドウ部１５ｂと、リング状の紐状体であるワイヤ１５ｃ等から構成されている。
【００１６】
＜矢羽根１５ａの構成＞
複数の矢羽根１５ａの芯１５ａ１の先端側には、紐状体用挿通孔１５ａ１１が形成されており、図３や図４等に示すようにその紐状体用挿通孔１５ａ１１にはリング状の紐状体である例えばワイヤ１５ｃが通されている。
【００１７】
そのため、従来とは異なり、複数の矢羽根１５ａは、予めリング状のワイヤ１５ｃによって留められているため、矢羽根１５ａを紛失したり、矢羽根１５ａをリンドウ部１５ｂに刺した後に安定バンド等で複数の矢羽根１５ａを留める必要がなくなり、鯉のぼりの飾り１の組み立ておよび分解時の作業性を向上させることができる。
【００１８】
また、複数の矢羽根１５ａの芯１５ａ１の基部側には、リンドウ部１５ｂを構成する一方の半割りリンドウ部１５ｂ１の矢羽根芯受け部１５ｂ１１側に設けられた突状部１５ｂ１１ａが通される矢羽根抜止め用リンドウ通し孔１５ａ１２が形成されている。
【００１９】
＜リンドウ部１５ｂの構成＞
リンドウ部１５ｂは、図１等に示すように、複数本の矢羽根１５ａの芯１５ａ１の基部が所定角度毎にセットした後、結合することによって複数本の矢羽根１５ａを固定するもので、図５〜図１０に示すように、一対の半割りリンドウ部１５ｂ１，１５ｂ２とから構成されている。
【００２０】
各半割りリンドウ部１５ｂ１，１５ｂ２には、図５〜図１０に示すように、それぞれ、複数本の矢羽根１５ａの芯１５ａ１の基部のセット位置を所定角度毎に案内するほぼ半円筒状の矢羽根芯受け部１５ｂ１１，１５ｂ２１が形成されている。
【００２１】
そして、一方の半割りリンドウ部１５ｂ１の矢羽根芯受け部１５ｂ１１には、図５〜図７に示すように、各矢羽根１５ａを所定の傾斜角度でセットする共に、各矢羽根１５ａの抜け止めを図るため突状部１５ｂ１１ａが設けられている。
【００２２】
また、一方の半割りリンドウ部１５ｂ１の所定角度毎の矢羽根芯受け部１５ｂ１１の間には、図５〜図７に示すように、交互に、開口部１５ｂ１２ａが形成された開口部付きウエブ部１５ｂ１２と、開口部１５ｂ１２ａが形成されてない開口部無しウエブ部１５ｂ１３とが設けられている。
【００２３】
そして、開口部付きウエブ部１５ｂ１２には、図５〜図７に示すように、他方の半割りリンドウ１５ｂ２と重ね合わせた際に係合する係合部１５ｂ１２ｂが設けられている一方、開口部無しウエブ部１５ｂ１３には、他方の半割りリンドウ１５ｂ２と重ね合わせた際に他方の半割りリンドウ１５ｂ２から通したネジ１６が螺合する金属性の埋込みナット１５ｂ１３ａが埋め込まれている。
【００２４】
また、一方の半割りリンドウ部１５ｂ１の外周側の外周部１５ｂ１４には、各矢羽根芯受け部１５ｂ１１にそれぞれ矢羽根１５ａの芯１５ａ１を通すための半円形状の切欠き部１５ｂ１４ａが形成されている。
【００２５】
さらに一方の半割りリンドウ部１５ｂ１の中心部の軸受け部１５ｂ１５には、図５〜図７に示すように、横棒１４を通すための横棒通し孔１５ｂ１５ａが設けられていると共に、横棒通し孔１５ｂ１５ａには、横棒１４との摩擦を低減させるオイルが含有された軸受けであるブッシュ１５ｂ１５ｂが嵌め入れられている。
【００２６】
また、他方の半割りリンドウ部１５ｂ２の矢羽根芯受け部１５ｂ２１には、図８〜図１０に示すように、一方の半割りリンドウ部１５ｂ１の突状部１５ｂ１１ａ先端が貫通する突状部通し孔１５ｂ２１ａが設けられている。
【００２７】
また、他方の半割りリンドウ部１５ｂ２の所定角度毎の矢羽根芯受け部１５ｂ１１の間には、図８〜図１０に示すように、一方の半割りリンドウ部１５ｂ１と同様に、交互に、開口部１５ｂ２２ａが形成された開口部付きウエブ部１５ｂ２２と、開口部１５ｂ２２ａが形成されてない開口部無しウエブ部１５ｂ２３とが設けられており、開口部付きウエブ部１５ｂ２２には、一方の半割りリンドウ１５ｂ１の係合部１５ｂ１２ｂが係合する被係合部１５ｂ２２ｂが設けられている一方、開口部無しウエブ部１５ｂ２３には、一方の半割りリンドウ１５ｂ１側の金属性の埋込みナット１５ｂ１３ａに螺合するネジ１６を通すネジ通し孔１５ｂ２３ａが設けられている。
【００２８】
また、他方の半割りリンドウ部１５ｂ２の外周側の外周部１５ｂ２４には、図８〜図１０に示すように、一方の半割りリンドウ部１５ｂ１側と同様に、各矢羽根芯受け部１５ｂ２１にそれぞれ矢羽根１５ａの芯１５ａ１を通すための半円形状の切欠き部１５ｂ２４ａが形成されている。
【００２９】
また、図８〜図１０に示すように、他方の半割りリンドウ部１５ｂ２の中心部の軸受け部１５ｂ２５にも、一方の半割りリンドウ部１５ｂ１側と同様に、横棒１４を通すための横棒通し孔１５ｂ２５ａが設けられていると共に、横棒通し孔１５ｂ２５ａには、横棒１４との摩擦を低減させるオイルが含有された軸受けであるブッシュ１５ｂ２５ｂが嵌め入れられている。
【００３０】
そのため、実施形態の鯉のぼりの飾り１では、リンドウ部１５に複数の矢羽根１５ａの固定する場合には、図１１および図１２に示すように、施形態の鯉のぼりの飾り１では、従来技術とは異なり、一方の半割りリンドウ部１５ｂ１側の突状部１５ｂ１１ａを、各矢羽根１５ａの芯１５ａ１の矢羽根抜止め用リンドウ通し孔１５ａ１２を通して各矢羽根１５ａを所定角度で固定するため、従来技術とは異なり、リンドウ部１５ｂに対する複数の矢羽根１５ａの固定に割りピンを使用する必要がなくなる。
【００３１】
その結果、実施形態の鯉のぼりの飾り１では、割りピン挿入後に割りピン先端部を曲げる作業が不要になり、組立て作業が簡単かつ安全になると共に、一定期間組み立てて飾った後に分解した際、割りピン先端を曲げ戻して抜く作業も不要になって分解作業も簡単かつ安全になり、かつ、割りピンの紛失もなくなり、作業性がさらに向上する。
【００３２】
また、実施形態の鯉のぼりの飾り１では、リンドウ部１５に複数の矢羽根１５ａの固定するため、一対の半割りリンドウ部１５ｂ１，１５ｂ２を重ね合わせた際、図１３に示すように、一方の半割りリンドウ部１５ｂ１側の係合部１５ｂ１２ｂが、他方の半割りリンドウ部１５ｂ２側の被係合部１５ｂ２２ｂにワンタッチで係合して、簡単には離れなくなるため、鯉のぼりの飾り１の組み立ておよび分解時の作業性を向上させることができる。
【００３３】
尚、その後は、実施形態の鯉のぼりの飾り１では、図１４に示すように、他方の半割りリンドウ部１５ｂ２側のネジ通し孔１５ｂ２３ａからネジ１６等を通して、一対の半割りリンドウ部１５ｂ１，１５ｂ２を強固に固定することできる。
【００３４】
また、実施形態の鯉のぼりの飾り１では、鯉のぼりを設置して矢車１５を横棒１４に取り付けた際、オイルが含有されたブッシュ１５ｂ１５ｂ，１５ｂ２５ｂが軸受けをしているため、矢車１５を円滑に回転させることが可能になり、騒音を抑えることができる。
【００３５】
＜回転球１３の構成例１＞
回転球１３の構成例１は、複数の回転球片１３ａと、折畳み式の帯金１３ｂとから構成されている。
【００３６】
複数の回転球片１３ａは、図１５に示すように、それぞれ、ほぼ三日月形状に形成されており、球棒１２の上下両端部に通される球棒通し孔が上下両端部に形成される一方、上下方向の中間には切欠部１３ａ１が形成されている。
【００３７】
帯金１３ｂは、ほぼ半円形状の一対の半円形状帯金１３ｂ１，１３ｂ２から構成されており、一対の半円形状帯金１３ｂ１，１３ｂ２の両端部同士をピン１３ｂ３により回動可能に連結して、複数の回転球片１３ａに取り付ける場合は、図１６（ａ）に示すように、円形状に開いて使用する一方、複数の回転球片１３ａに取り付けず保管する場合は、図１６（ｂ）に示すように、半円形状に閉じておくことができるように開閉式に構成されている。
【００３８】
また、実施形態の帯金１３ｂは、球棒１２を中心として所定角度を空けて設けられた複数の回転球片１３ａの外側から囲うように設けるもので、複数の回転球片１３ａの切欠部１３ａ１に掛止する掛止部１３ｂ１１，１３ｂ２１が設けられている。
【００３９】
そのため、回転球１３を組み立てる場合は、図１５に示すように、球棒１２に複数の回転球片１３ａをセットした後、図１６（ａ）に示すように帯金１３ｂを開き、図１７および図１８に示すように各回転球片１３ａの外側から囲うように帯金１３ｂを被せて、各回転球片１３ａの切欠部１３ａ１に帯金１３ｂの掛止部１３ｂ１１，１３ｂ２１を掛止し、図１９に示すように、球棒１２を中心として複数の回転球片１３ａを所定角度毎に固定する。
【００４０】
そのため、実施形態の鯉のぼりの飾り１によれば、従来技術の球棒１２にセットした複数の回転球片１３ａの内側で２つの帯金の両端を連結して固定する従来技術とは異なり、帯金１３ｂが折畳み式に構成されており、しかも球棒１２にセットした複数の回転球片１３ａの外側から各回転球片１３ａの切欠部１３ａ１に帯金１３ｂの掛止部１３ｂ１１，１３ｂ２１を掛止できるので、回転球１３の組立て作業が簡単でわかりやすく、かつ安全になり、鯉のぼりの飾り１全体の組み立ておよび分解の作業性を向上させることができる。
【００４１】
＜回転球１３の構成例２＞
また、回転球１３の構成例２では、図１６〜図１９に示した折畳み式帯金１３ｂによって複数の回転球片１３ａを所定角度毎に固定する回転球１３の代わりに、一対の回転球片固定金具１３ｃ，１３ｃによって複数の回転球片１３ａを所定角度毎に固定する。
【００４２】
そのため、構成例２の回転球１３では、複数の回転球片１３ａに、図２０に示すように、上下両端部に通される球棒通し孔１３ａ２の近傍に、それぞれ、切欠部１３ａ３が形成されている。
【００４３】
一対の回転球片固定金具１３ｃ，１３ｃは、それぞれ、折り曲げ可能なアルミ等の金属製の薄板を、図２１に示すような形状に形成して、中心には球棒通し孔１３ｃ1を設ける一方、円周側には所定角度を空けて複数の回転球片１３ａの切欠部１３ａ１に折り曲げて掛止する複数の折り曲げ掛止部１３ｃ２を設ける。
【００４４】
そのため、構成例２の回転球１３を組み立てる場合は、図２２に示すように、球棒１２に複数の回転球片１３ａをセットした後、図２３に示すように各回転球片固定金具１３ｃ，１３ｃの折り曲げ掛止部１３ｃ２を折り曲げて、図２４に示すように、各回転球片１３ａの切欠部１３ａ１に外側から折り曲げ掛止部１３ｃ２を挿入し、図２５に示すように、さらに折り曲げ掛止部１３ｃ２を折り曲げて各回転球片１３ａを所定角度で固定する。
【００４５】
これにより、構成例２の回転球１３では、従来技術の球棒１２にセットした複数の回転球片１３ａの内側で２つの帯金の両端を連結して固定する従来技術とは異なり、球棒１２にセットした複数の回転球片１３ａの外側から各回転球片１３ａの切欠部１３ａ３に対し回転球片固定金具１３ｃ，１３ｃの折り曲げ掛止部１３ｃ２を折り曲げて外側から挿入することにより掛止して固定することになるので、構成例１の回転球１３の場合と同様に、回転球１３の組立て作業が容易になり、鯉のぼりの飾り１全体の組み立ておよび分解の作業性を向上させることができる。
【符号の説明】
【００４６】
１  鯉のぼりの飾り
２  支柱
１１  筒体
１２  球棒
１３  回転球
１３ａ１  切欠部
１３ａ２  球棒通し孔
１３ａ３  切欠部
１３ａ  回転球片
１３ｂ  折畳み式の帯金
１３ｂ１，１３ｂ２  一対の半円形状帯金
１３ｂ３  ピン
１３ｂ１１，１３ｂ２１  掛止部
１３ｃ  回転球片固定金具
１３ｃ1  球棒通し孔
１３ｃ２  折り曲げ掛止部
１４  横棒
１５  矢車
１６  ネジ
１５ａ  矢羽根
１５ａ１  芯
１５ａ１１  紐状体用挿通孔
１５ａ１２  矢羽根抜止め用リンドウ通し孔
１５ａ２  羽根
１５ｂ  リンドウ部
１５ｂ１  一方の半割りリンドウ部
１５ｂ１１  矢羽根芯受け部
１５ｂ１１ａ  突状部
１５ｂ１２  開口部付きウエブ部
１５ｂ１２ａ  開口部
１５ｂ１２ｂ  係合部
１５ｂ１３  開口部無しウエブ部
１５ｂ１３ａ  埋込みナット
１５ｂ１４  外周部
１５ｂ１４ａ  切欠き部
１５ｂ１５  軸受け部
１５ｂ１５ａ  横棒通し孔
１５ｂ１５ｂ  ブッシュ
１５ｃ  ワイヤ（紐状体）
１５ｂ２  他方の半割りリンドウ部
１５ｂ２１  矢羽根芯受け部
１５ｂ２１ａ  突状部通し孔
１５ｂ２２  開口部付きウエブ部
１５ｂ２２ａ  開口部
１５ｂ２２ｂ  被係合部
１５ｂ２３  開口部無しウエブ部
１５ｂ２３ａ  ネジ通し孔
１５ｂ２４  外周部
１５ｂ２４ａ  切欠き部
１５ｂ２５  軸受け部
１５ｂ２５ａ  横棒通し孔
１５ｂ２５ｂ  ブッシュ
１６  ネジ
【図１】
2018051107.tif 000003
【図２】
2018051107.tif 000004
【図３】
2018051107.tif 000005
【図４】
2018051107.tif 000006
【図５】
2018051107.tif 000007
【図６】
2018051107.tif 000008
【図７】
2018051107.tif 000009
【図８】
2018051107.tif 000010
【図９】
2018051107.tif 000011
【図１０】
2018051107.tif 000012
【図１１】
2018051107.tif 000013
【図１２】
2018051107.tif 000014
【図１３】
2018051107.tif 000015
【図１４】
2018051107.tif 000016
【図１５】
2018051107.tif 000017
【図１６】
2018051107.tif 000018
【図１７】
2018051107.tif 000019
【図１８】
2018051107.tif 000020
【図１９】
2018051107.tif 000021
【図２０】
2018051107.tif 000022
【図２１】
2018051107.tif 000023
【図２２】
2018051107.tif 000024
【図２３】
2018051107.tif 000025
【図２４】
2018051107.tif 000026
【図２５】
2018051107.tif 000027